(57)【要約】【課題】キッチンカウンタに固定したスライドレールに着脱自在かつスライド自在に取り付けられ、使用感に優れた身体サポートバーを提供する。【解決手段】キッチンカウンタ４の前縁部下方に固定されたスライドレール２と、凭れバー１とからなる身体サポートバーＡであって、上記凭れバー１は凭れ部材１１とスライド係合部１２とが一体的に構成され、上記スライド係合部１２は上記スライドレール２の係合溝部２１に係合する係合片１２１と、上記凭れ部材１１を載置する載置部１２２とからなり、上記凭れバー１は上記スライドレール２に着脱自在かつスライド自在に取り付けられる。【選択図】図１
2006247223.tif 000002
【特許請求の範囲】
【請求項１】
キッチンカウンタの前縁部下方に固定されたスライドレールと、凭れバーとからなる身体サポートバーであって、上記凭れバーは凭れ部材とスライド係合部とが一体的に構成され、上記スライド係合部は上記スライドレールの係合溝部に係合する係合片と、上記凭れ部材を載置する載置部とからなり、上記凭れバーは上記スライドレールに着脱自在かつスライド自在に取り付けられる身体サポートバー。
【請求項２】
上記凭れ部材の後部には上記スライドレールを覆うように水返し片が延設された請求項１に記載の身体サポートバー。
【請求項３】
上記スライド係合部の手前側にスライドレールの係合溝部と略同一形状のアタッチメント取り付け用係合溝部が設けられた請求項１に記載の身体サポートバー。
【発明の詳細な説明】
【技術分野】
【０００１】
本発明は、キッチンカウンタの前縁に取り付けられる身体サポートバーに関する。
【背景技術】
【０００２】
従来、キッチンカウンタの前縁の手前側に取り付けた手摺本体と、この手摺本体に沿ってスライド移動可能とされた凭れ部材とからなる身体サポートバーが知られている。
【特許文献１】特開２００３−１６９７２２号公報（第１〜３頁、第１図、第２図）
【発明の開示】
【発明が解決しようとする課題】
【０００３】
しかしながら、上記特許文献１に記載の身体サポートバーは、特許文献１の第１図、第２図から明らかなように、前方に突出して設けられているため、凭れないで作業をする場合は凭れ部材が邪魔となる。また、凭れ部材を使用しない場合は、凭れ部材を横に移動させてもなお手摺本体が突出していため、調理作業がしにくいという問題がある。本発明はこのような問題を解決して、凭れ部材を着脱自在、かつ、スライド自在とし、使用感に優れた身体サポートバーを提供することをその課題とする。
【課題を解決するための手段】
【０００４】
上記課題を解決するために、本発明においては、つぎのような技術的手段を講じている。すなわち、本発明によれば、キッチンカウンタの前縁部下方に固定されたスライドレールと、凭れバーとからなる身体サポートバーであって、上記凭れバーは凭れ部材とスライド係合部とが一体的に構成され、上記スライド係合部は上記スライドレールの係合溝部に係合する係合片と、上記凭れ部材を載置する載置部とからなり、上記凭れバーは上記スライドレールに着脱自在かつスライド自在に取り付けられる身体サポートバーが提供される。上記凭れ部材は合成樹脂製、あるいは木質系材料等、凭れたときに柔らかな感触を与える部材から形成されることが好ましい。
【０００５】
また、上記凭れ部材の後部には上記スライドレールを覆うように水返し片が延設されることが好ましい。さらに、上記スライド係合部の手前側にスライドレールの係合溝部と略同一形状のアタッチメント取り付け用係合溝部が設けられることが好ましい。
【発明の効果】
【０００６】
請求項１に記載の本発明にかかる身体サポートバーは上記のとおりであり、キッチンカウンタの前縁部下方に固定されたスライドレールと、このスライドレールに着脱自在かつスライド自在に係合された凭れバーとからなるため、凭れバーを使用しないときは、凭れバーを横にスライド移動させても、あるいは取り外しても、スライドレールがキッチンカウンタの前縁部下方に固定されているため邪魔にならず、作業性よく調理を行うことができる。
【０００７】
上記凭れ部材の後部には上記スライドレールを覆うように水返し片が延設されているため、シンクから跳ねた水がスライドレールに浸入し、とくに係合溝部に溜まって不潔になることを防ぐ。また、上記スライド係合部の手前側にスライドレールの係合溝部と略同一形状のアタッチメント取り付け用係合溝部を設けることにより、さらに他のアタッチメントを付加して取り付けることができる。
【発明を実施するための最良の形態】
【０００８】
以下、本発明の実施形態について図面を参照して、詳細に説明する。図１は、本発明にかかる身体サポートバーＡの構成を示す説明図である。身体サポートバーＡは、シンク５を備えたキッチンカウンタ４の前縁部下方に固定されたスライドレール２と凭れバー１とから構成される。上記凭れバー１は凭れ部材１１とスライド係合部１２とが一体的に構成され、上記スライド係合部１２は係合片１２１と上記凭れ部材１１を載置、一体化する載置部１２２とからなり、上記係合片１２１はスライドレール２の係合溝部２１に係合する。このように構成することにより、上記凭れバー１はスライドレール２に着脱自在かつスライド自在に取り付けられる。また、上記スライド係合部１２の手前側には他のアタッチメントを取り付けるときに使用されるアタッチメント取り付け用係合溝部１２３が設けられている。
【０００９】
図２は上記凭れバー１をスライドレール２に取り付けた状態の本発明にかかる身体サポートバーＡを示す側断面図である。図２に示されているように、凭れバー１は上記係合片１２１が係合溝部２１に係合することによりスライドレール２に沿ってスライド自在とされていることが明らかである。また、凭れバー１を使用する必要がないときは、凭れバー１全体を図２に示した矢印に従って回動させれば係合片１２１が係合溝部２１から外れ、通常のキッチンカウンタ４として使用できる。このとき、スライドレール２はキッチンカウンタ４の前縁下方に位置しているため突出することなく、使用者にとって邪魔になることはない。
【００１０】
図３は、図２に示す実施形態を応用し、さらに上記凭れバー１に水返し片３を付加した形態を示す側断面図である。図３からよくわかるように、水返し片３を延設することにより、シンク５から跳ねた水がスライドレール２に浸入し、とくに係合溝部２１に溜まって不潔になることを防ぐ。また、上記したように、スライド係合部１２の手前側にスライドレール２の係合溝部２１と略同一形状のアタッチメント取り付け用係合溝部１２３を設けることにより、さらに他のアタッチメントを付加して取り付けることができる。
【図面の簡単な説明】
【００１１】
【図１】本発明にかかる身体サポートバーの構成を示す説明図である。
【図２】本発明にかかる身体サポートバーを示す側断面図である。
【図３】図２に示す身体サポートバーに水返し片を付加した形態を示す側断面図である。
【符号の説明】
【００１２】
Ａ          本発明にかかる身体サポートバー
１          凭れバー
１１        凭れ部材
１２        スライド係合部
１２１      係合片
１２２      載置部
１２３      アタッチメント取り付け用係合溝部
２          スライドレール
２１        係合溝部
３          水返し片
４          キッチンカウンタ
５          シンク
【図１】
2006247223.tif 000003
【図２】
2006247223.tif 000004
【図３】
2006247223.tif 000005